(57)【要約】【課題】入力された装置制御設定媒体が入力原稿情報に対応しているかを入出力装置が判断し、判断結果に応じた処理を行う入出力装置等を提供すること。【解決手段】入出力装置は、原稿データを読み取る原稿読取手段と、原稿レイアウト情報、原稿の読取条件、加工条件および出力条件等を記録した装置制御設定媒体から光学読取符号を読み取る光学読取手段と、読み取った光学読取符号から原稿レイアウト情報を抽出し、読み取った所定の原稿データの原稿レイアウトと比較する原稿判別手段とを備え、原稿判別手段による判別結果に応じた処理を行う。【選択図】図１
2011061489.tif 000002
【特許請求の範囲】
【請求項１】
原稿データを読み取る原稿読取手段と、
原稿レイアウト情報と、さらに原稿の読取条件、加工条件および出力条件の少なくとも１つとを記録した装置制御設定媒体から光学読取符号を読み取る光学読取手段と、
前記光学読取手段により読み取った前記光学読取符号から前記原稿レイアウト情報を抽出し、前記原稿読取手段により読み取った所定の原稿データの原稿レイアウトと比較する原稿判別手段と
を備え、
前記所定の原稿データについて前記原稿判別手段による判別結果に応じた処理を行うことを特徴とする入出力装置。
【請求項２】
前記原稿判別手段により前記所定の原稿データが前記装置制御設定媒体に記録されている前記原稿レイアウト情報に対応する原稿レイアウトの原稿データであると判別された場合、前記光学読取手段により読み取った前記装置制御設定媒体に記録されている処理を行うことを特徴とする請求項１記載の入出力装置。
【請求項３】
前記原稿読取手段により読み取った原稿データから原稿レイアウト情報と、さらに原稿の読取条件、加工条件および出力条件の少なくとも１つとを含む情報を読み取り光学読み取り可能な光学読取符号に変換する光学読取符号変換手段と、
前記光学読取符号変換手段により変換された前記光学読取符号を装置設定制御媒体に出力する装置設定制御媒体出力手段と
を備えることを特徴とする請求項１または２記載の入出力装置。
【請求項４】
前記原稿判別手段により前記所定の原稿データが前記装置制御設定媒体に記録されている前記原稿レイアウト情報に対応する原稿レイアウトの原稿データでないと判別された場合、前記装置制御設定媒体に記録されている原稿レイアウト情報を更新する手段を備えることを特徴とする請求項１から３のいずれか１項に記載の入出力装置。
【請求項５】
原稿読取手段により原稿データを読み取るステップと、
光学読取手段により原稿レイアウト情報と、さらに原稿の読取条件、加工条件および出力条件の少なくとも１つとを記録した装置制御設定媒体から光学読取符号を読み取るステップと、
原稿判別手段により前記光学読取手段で読み取った前記光学読取符号から前記原稿レイアウト情報を抽出し、前記原稿読取手段により読み取った所定の原稿データの原稿レイアウトと比較するステップと、
前記所定の原稿データについて前記原稿判別手段による判別結果に応じた処理を行うステップと
を有することを特徴とする入出力方法。
【請求項６】
コンピュータに、
原稿読取手段により原稿データを読み取る処理と、
光学読取手段により原稿レイアウト情報と、さらに原稿の読取条件、加工条件および出力条件の少なくとも１つとを記録した装置制御設定媒体から光学読取符号を読み取る処理と、
原稿判別手段により前記光学読取手段で読み取った前記光学読取符号から前記原稿レイアウト情報を抽出し、前記原稿読取手段により読み取った所定の原稿データの原稿レイアウトと比較する処理と、
前記所定の原稿データについて前記原稿判別手段による判別結果に応じた処理を行う処理と
を実行させることを特徴とするプログラム。
【発明の詳細な説明】
【技術分野】
【０００１】
本発明は、印刷に際して所定の媒体に格納された印刷に付随する条件を用いてデータ入出力処理を行う技術に関する。
【背景技術】
【０００２】
今日、デジタル複写機においては、多機能化によって、プリンタ，スキャナおよびファクシミリなどの複数機能を有する複合型のものが多く普及しており、デジタル複写機に有する機能を有効に使うためには、利用者が設定する必要がある画像形成条件等の設定項目が増大している。
【０００３】
しかし、デジタル複写機に設定を入力するための入力手段として設けられている、例えば液晶表示装置の大きさやハードキーの個数には限りがあるため、液晶表示装置を用いた設定メニューの表示画面を切り替えるため表示する層が深くなる傾向があり、利用者にとって使い勝手が悪いものになっている。
【０００４】
このような問題を解決するため、例えば特許文献１によると、画像形成条件を２次元コード等の光学的に読取可能な状態で記録し、それをデジタル複写機のスキャナで読み取り認識し、画像形成条件を自動的に設定する技術が開示されている。
【０００５】
しかしながら、自動的に設定される事で便利になった反面、誤った条件でも知らずの内に設定され、送信されてしまうといった事故も増加する可能性があり、このような事を未然に防ぎたいという要望もある。
また２次元コード等は人間が目視で理解できない形式のため、光学的に読取可能な状態で記録した２次元コード等を容易に管理したいという要望もある。
【０００６】
しかしながら、特許文献１に記載のようなデジタル複合機であっても、画像形成条件のみならず送信先や受信元ファイルの格納場所を示すパス等のネットワーク設定も行わなければならず、多くの機能を利用する利用者にとっての使い勝手はさらに悪くなっているという問題があった。
【０００７】
このような問題を解決するため、例えば特許文献２によると、画像形成条件のみならず送信先や、受信元ファイルのパス等のネットワーク設定もバーコードやＱＲコードなどの２次元コード等の光学的に読み取り可能な状態で記録し、それをデジタル複写機のスキャナで読み取り認識し、自動的に設定することにより利用者の使い勝手を向上させることができる。
すなわち、原稿の読取条件、加工条件（集約、変倍等）、出力条件（ステープル等、また、印刷出力／メール送信／ＦＡＸ送信等の出力形態及びメールアドレス等の出力先情報）の少なくとも１つを２次元コード等の符号化情報にして印刷出力あるいはＵＳＢメモリ等の記録媒体に出力しておく。この出力先の媒体を装置制御設定媒体という。
【発明の概要】
【発明が解決しようとする課題】
【０００８】
しかし、上記の特許文献２の従来技術では、２次元コードは人間が目視で理解できない形式のため、どの原稿用に作成されたか２次元コードか２次元コードをみただけでは判断できないことに起因する問題がある。すなわち、処理対象の原稿情報を入力する際に装置制御設定媒体を一緒に入力し、当該装置制御設定媒体から符号化情報を読み取り、読取条件、加工条件、出力条件等を読み出し、読み出した条件で入力原稿情報を処理する。この際に、条件が２次元コードになっており目視では分からないため、入力原稿情報に適した装置制御設定媒体を一緒に入力したか否かが、ユーザに分からない場合がある。適した装置制御設定媒体でない場合には、ユーザが意図しない処理（誤送信など）が行われてしまう問題がある。
【０００９】
本発明は、入力された装置制御設定媒体が入力原稿情報に対応しているかを入出力装置が判断し、判断結果に応じた処理を行う入出力装置、入出力方法およびプログラムを提供することを目的とする。
【課題を解決するための手段】
【００１０】
請求項１記載の発明は、原稿データを読み取る原稿読取手段と、原稿レイアウト情報と、さらに原稿の読取条件、加工条件および出力条件の少なくとも１つとを記録した装置制御設定媒体から光学読取符号を読み取る光学読取手段と、光学読取手段により読み取った光学読取符号から原稿レイアウト情報を抽出し、原稿読取手段により読み取った所定の原稿データの原稿レイアウトと比較する原稿判別手段とを備え、所定の原稿データについて原稿判別手段による判別結果に応じた処理を行うことを特徴とする入出力装置である。
【００１１】
請求項２記載の発明は、請求項１記載の入出力装置において、原稿判別手段により所定の原稿データが装置制御設定媒体に記録されている原稿レイアウト情報に対応する原稿レイアウトの原稿データであると判別された場合、光学読取手段により読み取った装置制御設定媒体に記録されている処理を行うことを特徴とする。
【００１２】
請求項３記載の発明は、請求項１または２記載の入出力装置において、原稿読取手段により読み取った原稿データから原稿レイアウト情報と、さらに原稿の読取条件、加工条件および出力条件の少なくとも１つとを含む情報を読み取り光学読み取り可能な光学読取符号に変換する光学読取符号変換手段と、光学読取符号変換手段により変換された光学読取符号を装置設定制御媒体に出力する装置設定制御媒体出力手段とを備えることを特徴とする。
【００１３】
請求項４記載の発明は、請求項１から３のいずれか１項に記載の入出力装置において、原稿判別手段により所定の原稿データが装置制御設定媒体に記録されている原稿レイアウト情報に対応する原稿レイアウトの原稿データでないと判別された場合、装置制御設定媒体に記録されている原稿レイアウト情報を更新する手段を備えることを特徴とする。
【００１４】
請求項５記載の発明は、原稿読取手段により原稿データを読み取るステップと、光学読取手段により原稿レイアウト情報と、さらに原稿の読取条件、加工条件および出力条件の少なくとも１つとを記録した装置制御設定媒体から光学読取符号を読み取るステップと、原稿判別手段により光学読取手段で読み取った光学読取符号から原稿レイアウト情報を抽出し、原稿読取手段により読み取った所定の原稿データの原稿レイアウトと比較するステップと、所定の原稿データについて原稿判別手段による判別結果に応じた処理を行うステップとを有することを特徴とする入出力方法である。
【００１５】
請求項６記載の発明は、コンピュータに、原稿読取手段により原稿データを読み取る処理と、光学読取手段により原稿レイアウト情報と、さらに原稿の読取条件、加工条件および出力条件の少なくとも１つとを記録した装置制御設定媒体から光学読取符号を読み取る処理と、原稿判別手段により光学読取手段で読み取った光学読取符号から原稿レイアウト情報を抽出し、原稿読取手段により読み取った所定の原稿データの原稿レイアウトと比較する処理と、所定の原稿データについて原稿判別手段による判別結果に応じた処理を行う処理とを実行させることを特徴とするプログラムである。
【発明の効果】
【００１６】
本発明によれば、入力された装置制御設定媒体が入力原稿情報に対応しているかを入出力装置が判断し、判断結果に応じた処理を行うことができる。
【図面の簡単な説明】
【００１７】
【図１】本発明の実施形態におけるデジタル複写機の概略構成を示すブロック図である。
【図２】本発明の実施の形態におけるデジタル複写機における装置制御設定媒体の作成方法を示すフローチャートである。
【図３】本発明の実施の形態におけるデジタル複写機における装置制御設定媒体の利用方法を示すフローチャートである。
【図４】本発明の実施の形態におけるデジタル複写機における装置制御設定媒体の他の利用方法を示すフローチャートである。
【図５】本発明の実施の形態における装置制御設定媒体の構成を示す図である。
【図６】本発明の実施の形態における装置制御設定情報を示す図である。
【図７】本発明の実施の形態におけるレイアウト画像の例を示す図である。
【図８】本発明の実施の形態におけるダイアログの例を示す図である。
【発明を実施するための形態】
【００１８】
以下、図面を参照して本発明における実施の形態を詳細に説明する。
図１は本発明の実施形態におけるデジタル複写機の概略構成を示すブロック図である。なお、本実施形態においては、多機能の入出力装置として、デジタル複写機を例に説明する。
【００１９】
図１に示すように、デジタル複写機１は、ＣＰＵ２、ＲＯＭやＲＡＭなどから構成されるメモリユニット３、ＦＡＸ制御部４、ＬＡＮ制御部５、入出力デバイス制御ユニット６、記憶装置制御ユニット７、画像処理制御ユニット８を備えている。さらに、記憶装置制御ユニット７に接続された内蔵ハードディスクドライブ（以下、ＨＤＤという）などで構成される記憶装置９、画像処理制御ユニット８に接続された印刷制御ユニット１０，画像読取制御ユニット１１，表示制御ユニット１３から構成されている。
また、ＦＡＸ制御部４は、ＦＡＸ回線２３を介して他のファクシミリ装置とファクシミリデータの授受を行い、ＬＡＮ制御部５は、インターネット２１とモデム，ルータ等の通信制御ユニット２２を介して外部機器と接続すると共に、有線，無線等によりパーソナルコンピュータ（以下、ＰＣという）２５，サーバーコンピュータ（以下、サーバーという）２４と接続して情報の授受を行う。
【００２０】
入出力デバイス制御ユニット６は、接続される外付けＨＤＤ等の外部記憶装置１４、あるいは外部メディア入出力装置１５により接続したマルチメディアカード（登録商標），スマートメディア（登録商標），メモリスティック（登録商標），ＳＤメモリカード（登録商標），ＣＤ−ＲＯＭ，フロッピー（登録商標）ディスク，ＵＳＢメモリ（登録商標）などの各メディアから情報の入出力を行う。
【００２１】
画像処理制御ユニット８は、印刷制御ユニット１０を介してモノクロ，カラー，両面印刷が可能な、レーザープリンタ，インクジェットプリンタなどで構成される印刷装置１６と、画像読取制御ユニット１２を介して光学的処理等により原稿画像を読み取る画像読取装置１７と、表示制御ユニット１３を介してタッチパネル，ＣＲＴ，液晶などで構成される表示装置１８により情報の入出力を行う。
【００２２】
さらに、入力制御ユニット１２は、タッチパネルやキーボタンで構成された操作入力装置１９であり、このタッチパネルやキーボタンを押すことにより、またマイクで構成された音声入力装置２０の音声による入力により入出力操作を可能としている。
【００２３】
ＣＰＵ２は、メモリユニット３に格納された制御プログラムに従ってデジタル複写機１本体を制御し、記憶装置９に格納され必要に応じてメモリユニット３に展開される処理プログラムに従って、ＦＡＸ制御部４，ＬＡＮ制御部５，入出力デバイス制御ユニット６，記憶装置制御ユニット７，画像処理制御ユニット８，入力制御ユニット１２を制御する。
【００２４】
図２は本実施形態のデジタル複写機における装置制御設定媒体の作成方法を示すフローチャートであり、図１を参照しながらその動作を説明する。
【００２５】
デジタル複写機１において利用者が望む制御設定を行うような装置制御設定媒体を所持していない場合は、いくつかの方法により装置制御設定媒体を作成することが可能である。ここでは一例として、紙原稿を読み取る際に設定した項目を装置制御設定媒体として出力する方法について説明する。
【００２６】
いま、利用者が光学原稿読取台に紙原稿を載置し、デジタル複写機１の表示装置１８および操作入力装置１９を利用して原稿の読み取り条件を設定する（Ｓ１）。今回の読み取り条件として「読取解像度：２００ｄｐｉ」，「カラーモード：モノクロ」を設定した場合を例とする。
【００２７】
利用者は表示装置から装置制御設定媒体を作成するかどうかを選択する。作成する場合（Ｓ２のＹｅｓ）は、さらに原稿情報を装置制御設定媒体に登録するかどうかを選択する（Ｓ３）。作成しない場合は、装置制御設定媒体を作成しないまま実行して終了する（Ｓ２のＮｏ）。
【００２８】
原稿情報を装置設定用媒体に登録する場合、ＣＰＵ２が画像読取制御ユニット１１を制御し、画像読取装置１７にて原稿を読み取る（Ｓ４）。それからＣＰＵ２は読み取った原稿にテキスト情報があるかどうかを判断する（Ｓ５）。テキスト情報がある場合は（Ｓ５のＹｅｓ、）読み取った原稿からテキスト情報および原稿レイアウト情報を抽出しメモリユニット３に保持する（Ｓ６）。このテキスト情報を抽出する技術は、例えばＯＣＲである。このＯＣＲの技術を利用して「議事録」という言葉を抽出し装置設定用媒体に登録する。またこの「議事録」という単語の開始座標を原稿レイアウト情報として装置設定用媒体に登録する。
【００２９】
読み取った原稿にテキスト情報がない場合は（Ｓ５のＮｏ）、またはテキスト情報を抽出した後、画像処理制御ユニット１１が、読み取った原稿から画像レイアウト情報を抽出しメモリユニット３に保持する（Ｓ７）。画像レイアウト情報を抽出する技術は、例えば高圧縮ＰＤＦで使用される画像、文字、罫線を抽出する技術を使用する。画像と文字を抜き出し、罫線のみの画像を作成してレイアウト画像とする。レイアウト画像の例を図７に示す。またテキスト情報のみの原稿であれば、テキストの開始位置を抽出し、原稿情報として保持する。
【００３０】
ＣＰＵ２がこれらのメモリユニット３に保持されたテキスト情報を２次元コードに変換し、画像レイアウト情報からサムネイル画像を生成する（Ｓ８）。その後印刷制御ユニットを制御して、装置設定用媒体に２次元コードとサムネイル画像を出力する（Ｓ９）。出力される装置設定用媒体の例を図５に示す。
【００３１】
図３は本実施形態のデジタル複写機における装置制御設定媒体の利用方法を示すフローチャートであり、図１を参照しながらその動作を説明する。
【００３２】
図３に示すように、まず利用者はデジタル複写機１に具備される画像読取装置１７を利用して原稿を読み取る（Ｓ１）。画像読取装置１７（例えば光学原稿読取台）上に原稿を載置し、操作入力装置１９より読み取り開始の操作を行う。これにより、入力制御ユニット９より、読み取り開始の操作が行われ指示情報がＣＰＵ２に伝達される。これを受けてＣＰＵ２は画像処理制御ユニット８に画像読取制御ユニット１２の動作制御を実行させる。画像読取制御ユニット１２は画像読取装置１７を適切に制御し、原稿上のデータを読み取り、この結果をメモリユニット３へ格納する。
【００３３】
１枚目の原稿データの読み取りが完了すると、画像処理制御ユニット８によって原稿の解析が行われる（Ｓ２）。処理Ｓ２において解析され、本実施形態で利用する装置制御設定媒体には、例えばＱＲコード（登録商標）などの２次元コードを利用して装置制御設定情報とサムネイル画像が記録されている。具体的には、図５に示すように装置制御設定媒体（印刷用紙）とサムネイル画像はそれぞれの所定位置に記録されている。まず画像処理制御ユニット８は原稿データ中に装置制御設定情報が記録されているか否かを検索する。原稿データ内の所定位置に装置制御設定情報の２次元コードが発見された場合、この情報を読み取ってメモリユニット３に格納し、装置制御設定媒体が使用されている可能性があることをＣＰＵ２に通知する。
【００３４】
この通知を受けると、ＣＰＵ２はメモリユニット３に格納された２次元コード情報の解析を行う（Ｓ３）。装置制御設定情報は図６に示すように、装置制御設定情報ヘッダ領域と、利用認証情報領域と、ユニット制御設定情報領域と、原稿情報領域と原稿レイアウト情報領域によって構成されている。ヘッダ領域は２次元コード情報が装置制御設定情報であるかどうかを判断する情報、利用認証情報領域は利用者がこの装置制御設定の実行権限があるか否かを確認する為の情報、ユニット制御設定情報領域は実行条件や設定の情報、原稿情報領域はどのような原稿用に作られた装置制御設定媒体なのかを示す情報、原稿レイアウト情報領域は文字の開始座標などの原稿レイアウト情報が格納されている。
【００３５】
原稿内に原稿レイアウト情報が発見できなかった場合（処理Ｓ３のＮｏ）、原稿レイアウト情報の読み取りは実施せずに、Ｓ５の処理を行う。
【００３６】
原稿内に原稿レイアウト情報が発見できた場合（処理Ｓ３のＹｅｓ）、ＣＰＵ２はその原稿レイアウト情報をメモリユニット３に格納する（Ｓ４）。
【００３７】
また図５に示すように装置制御設定媒体（印刷用紙やＵＳＢメモリ等の記録媒体）の所定位置にはサムネイル画像が記録されており、画像処理制御ユニット８は原稿データ中にサムネイル画像が記録されているか否かを検索する（Ｓ５）。原稿データ内の所定位置にサムネイル画像が発見された場合、この情報を読み取ってメモリユニット３に格納する（Ｓ６）。所定位置にサムネイル画像が登録されていない場合（Ｓ５のＮｏ）、サムネイル画像の読み取りは実施せずに、Ｓ７の処理を行う。
【００３８】
ＣＰＵ２は装置制御設定情報内のユニット制御設定情報を解釈し、画像読取制御ユニット１１に設定する（Ｓ７）。
【００３９】
装置制御設定情報内の画像読取制御ユニット１１は画像読取装置１７を制御して、載置されている原稿を続けて読み取る（Ｓ８）。
【００４０】
画像処理制御ユニット８によって原稿の解析が行われ、画像レイアウト情報を抽出し、メモリユニット３に保持する（Ｓ９）。画像処理制御ユニット８によって原稿の解析が行われ、原稿レイアウト情報を抽出し、メモリユニット３に保持する（Ｓ１０）
【００４１】
ＣＰＵ２はＳ９で抽出した画像レイアウト情報と、Ｓ５でメモリユニット３に格納された画像レイアウト情報とを比較し、一致するかどうかを判断する（Ｓ１１）。この時比較する方法は罫線のみが抽出されたレイアウト画像同士を類似画像検索の技術を使用して画像比較する。画像レイアウト情報が一致あるいは類似する場合、ＣＰＵは画像読取制御ユニット１１を制御し、ユニット制御設定情報領域に登録されている宛先に対して、出力を行う（Ｓ１３）。
【００４２】
画像レイアウト情報が一致しない場合、ＣＰＵ２はＳ１０で抽出した原稿レイアウト情報と、Ｓ４でメモリユニット３に格納された原稿レイアウト情報とを比較し、一致するかどうかを判断する（Ｓ１２）。
すなわち、入力された装置制御設定媒体が入力原稿情報に対応しているかをデジタル複写機１が判断し、判断結果に応じた処理を行う。入力された装置制御設定媒体が入力原稿情報に対応しているかを判断する方法として、原稿のレイアウトを使用する。装置制御設定媒体に原稿のレイアウトを記録しておき、原稿とともに装置制御設定媒体が読み取られた場合に、その原稿が、記録されているレイアウトに対応する（一致、類似を含む）原稿である場合に、装置制御設定媒体に記録されている処理を行う（Ｓ１３）。
【００４３】
原稿レイアウト情報も一致しない場合、表示制御ユニット１３を制御してＣＰＵは表示装置１８にエラーダイアログを表示する（Ｓ１４）。これは、ユニット制御設定情報が２枚目以降の原稿に適していない場合である。この時表示するダイアログの例を図８に示す。
【００４４】
図３では、画像レイアウト情報と原稿レイアウト情報が異なる場合、エラーダイアログを表示したが、この時に装置設定用媒体を更新する方法が図４のフローチャートであり、図１を説明しながらその動作を説明する。
【００４５】
図４は図３のフローチャートのＳ１５とＳ１６の処理が異なるものである。
【００４６】
画像レイアウト情報および原稿レイアウト情報が異なる場合、ＣＰＵ２が表示制御ユニット１３を制御し、表示装置１８にてエラーダイアログを表示する（Ｓ１４）。装置制御設定媒体を更新するかどうかを利用者に選択させるダイアログを表示する。
【００４７】
更新しない場合は、そのまま処理を停止する（Ｓ１５のＮｏ）。更新する場合は（Ｓ１５のＹｅｓ）、Ｓ９でメモリユニット３に保持した画像レイアウト情報からサムネイル画像を生成し、Ｓ１１でメモリユニット３に保持した原稿情報を２次元コード化して、印刷制御ユニット１０が印刷装置１６を制御して装置設定用媒体を出力する（Ｓ１６）。
このように装置制御設定媒体の画像レイアウト情報を簡単に更新する事ができる。例えばＡ社の注文票のレイアウトが更新された場合、従来のＡ社用の装置制御設定媒体は読み取り条件や、宛先などの他の条件は全く同じであるが、レイアウト情報が異なるため使用する事ができない。また、誤った原稿に装置制御設定媒体が使用され場合、利用者に通知した後に、レイアウト情報を更新した装置制御設定媒体を出力する事が可能になる。
【００４８】
上記の本実施の形態によれば、装置制御設定媒体に出力されているレイアウト画像から、どのような原稿用に作成されたかを一目で判断する事ができ、誤った原稿に使用される事を防ぐことができる。また、装置制御設定媒体の管理を容易にすることができる効果を奏する。
従来の装置制御設定媒体は、光学読取符号やテキスト情報のみが出力されているのみであり、ＱＲコードおよびバーコードは、人間が理解できない形式である。そのため、この装置制御設定媒体がどのような原稿に対して作成されたかを一目で判断することは難しい。その為、装置制御設定媒体を原稿と対にして管理するなど、管理する事が難しい問題があった。
例えば、注文票用の装置制御設定媒体を使用して注文票を送信する場合、Ａ社とＢ社でレイアウトが異なる場合がある。従来の装置制御設定媒体ではＡ社とＢ社のどちらの原稿用に作成されたかを一目で判断する事ができない。
【００４９】
また、目視でレイアウトを判断する事を自動で判断する、例えば、装置制御設定媒体に出力されているサムネイル画像と原稿データのレイアウト画像を類似画像検索などの技術によって画像比較したり、原稿が画像データでない場合は、装置制御設定媒体に登録した原稿レイアウト情報を比較することとすれば、誤った原稿に装置制御設定媒体が使用され場合、利用者に通知する事で誤送信を未然に防ぐ事ができる。
【００５０】
なお、上述する各実施の形態は、本発明の好適な実施の形態であり、本発明の要旨を逸脱しない範囲内において種々の変更実施が可能である。例えば、デジタル複写機１の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。また、各装置の機能が他の装置によりまとめて実現されたり、追加の装置により機能が分散されて実現される形態も本発明の範囲内である。
【符号の説明】
【００５１】
１    デジタル複写機
２    ＣＰＵ
３    メモリユニット
４    ＦＡＸ制御部
５    ＬＡＮ制御部
６    入出力デバイス制御ユニット
７    記憶装置制御ユニット
８    画像処理制御ユニット
９    記憶装置
１０    印刷制御ユニット
１１    画像読取制御ユニット
１２    入力制御ユニット
１３    表示制御ユニット
１４    外部記憶装置
１５    外部メディア入出力装置
１６    印刷装置
１７    画像読取装置
１８    表示装置
１９    操作入力装置
２０    音声入力装置
２１    インターネット
２２    通信制御ユニット
２３    ＦＡＸ回線
２４    サーバーコンピュータ
２５    パーソナルコンピュータ
【先行技術文献】
【特許文献】
【００５２】
【特許文献１】特開平９−２６１３８２号公報
【特許文献２】特開２００７−２２１７４７号公報
【図１】
2011061489.tif 000003
【図２】
2011061489.tif 000004
【図３】
2011061489.tif 000005
【図４】
2011061489.tif 000006
【図５】
2011061489.tif 000007
【図６】
2011061489.tif 000008
【図７】
2011061489.tif 000009
【図８】
2011061489.tif 000010